(57)【要約】【課題】  ファイル等を収納対象物として収納する際に、縦置き姿勢と、横置き姿勢との収納形態を選択できる汎用性を備えた収納キャビネットを提供すること。【解決手段】  底部材１１の左右両側に側部材１２を設けるとともに、これら側部材の上部に天部材１３を配置して前後が開放した本体ユニット１５が設けられている。側部材の後方上部の内面間には仕切り部材１６が着脱自在に設けられており、仕切り部材によって、縦横寸法が相違するファイルＦ等を縦置き姿勢で収納したときに、ファイルの後端部が位置決めされる。この一方、ファイルを横置き姿勢で収納したときに、仕切り部材の下端に干渉することなく仕切り部材の下を通過する状態で収納することができる。【選択図】          図２
2006014793.tif 000002
【特許請求の範囲】
【請求項１】
底部材と、この底部材の左右両側に配置された側部材と、これら側部材の上部に配置された天部材とを含む本体ユニットを備えた収納キャビネットにおいて、
前記本体ユニットの内側上部に仕切り部材が配置され、当該仕切り部材は、縦横寸法が相違する特定の収納対象物を縦置き姿勢で収納したときに、当該収納対象物の後部位置決めを行う一方、前記収納対象物を横置き姿勢で収納したときに、当該収納対象物の後部を仕切り部材の下端よりも後方に位置する状態で収納可能としたことを特徴とする収納キャビネット。
【請求項２】
底部材と、この底部材の左右両側に配置された側部材と、これら側部材の上部に配置された天部材とを含む前後開放型の本体ユニットを備えた収納キャビネットにおいて、
前記側部材の前後何れかの上部に仕切り部材が着脱自在に設けられ、当該仕切り部材は、縦横寸法が相違する特定の収納対象物を縦置き姿勢で収納したときに、当該収納対象物の後端部位置決めを行う一方、前記収納対象物を横置き姿勢で収納したときに、当該収納対象物の後部を仕切り部材の下端よりも後方に位置する状態で収納可能としたことを特徴とする収納キャビネット。
【請求項３】
底部材の左右両側に配置された下部側部材と、これら下部側部材の上部に配置された中間天部材と、この中間天部材の左右両側に配置された上部側部材の上部に配置された天部材とを含む本体ユニットを備えた収納キャビネットにおいて、
前記下部側部材及び上部側部材のそれぞれの前後何れかの上部に仕切部材が着脱自在に設けられ、これら仕切り部材は、縦横寸法が相違する特定の収納対象物を縦置き姿勢で収納したときに、当該収納対象物の後端部位置決めを行う一方、前記収納対象物を横置き姿勢で収納したときに、当該収納対象物の後部を仕切り部材の下端よりも後方に位置する状態で収納可能としたことを特徴とする収納キャビネット。
【請求項４】
前記側部材は内面側に突出する補強部を備え、この補強部は、前後方向に略水平に延びる横方向補強部と、この横方向補強部の方向と交わる方向に延びる縦方向補強部とを含み、当該縦方向補強部は、前記横方向補強部の突出高さよりも低く設定されていることを特徴とする請求項１，２又は３記載の収納キャビネット。
【請求項５】
前記側部材の外面側に滑り防止部が略全域に形成されていることを特徴とする請求項１，２，３又は４記載の収納キャビネット。
【発明の詳細な説明】
【技術分野】
【０００１】
本発明は収納キャビネットに係り、更に詳しくは、各種タイプのファイル等を収納対象物として縦置き姿勢で収納したときに、それらの後端部位置決めを行う一方、収納対象物を横置き姿勢で収納したときに、収納前後幅（奥行き幅）内に収まる状態で収納を可能とする収納キャビネットに関する。
【背景技術】
【０００２】
従来より、フラットファイル、チューブファイル、ボックスファイル等の収納対象物を収納することに適した棚装置、ワゴン等の収納キャビネットが知られている。この収納キャビネットは、一般的には、底板の左右両側に側板を配置するとともに、これら側板の後端及び上端に背板及び天板を配置し、側板間の所定高さ位置に棚板を配置して構成されている。このような収納キャビネットにおいては、例えば、Ａ４サイズの用紙類を綴じ込むためのフラットファイルを収納する場合に、背表紙が上下方向に向く姿勢（縦置き姿勢）と、前後方向に向く姿勢（横置き姿勢）で収納する二つの収納態様がある。そのため、このような収納形態に対応させるには、横置き姿勢による収納も可能な奥行き幅を備えた収納キャビネットが必要となる。
【０００３】
しかしながら、横置き姿勢に対応し得る奥行き幅を設定すると、ファイルを縦置き姿勢で多数収納したときに、その背表紙面が横方向に沿って面一に並ばずに、前後にずれてしまう場合が多く、見栄えを非常に悪くする、という不都合を招来する。この場合、ファイル表紙の自由端側が収納キャビネットの背板に突き当たるように収納すれば、背表紙面を横方向に沿って面一に揃えることもできるが、これによると、背表紙の位置が収納キャビネットの前端開放部位置よりも、かなり後方へ後退した位置となってしまい、却ってファイルを出し入れし難くしてしまう、という別異の不都合をもたらすこととなる。
【０００４】
ところで、縦置き姿勢で収納されたファイル等の背表紙の位置を面一に揃えるために、収納キャビネットの後部側に奥行き方向における収納位置を規制する部材を採用した収納キャビネットが知られている（例えば、特許文献１参照）。
【０００５】
【特許文献１】実公平３−５０７４５号公報
【発明の開示】
【発明が解決しようとする課題】
【０００６】
しかしながら、特許文献１に記載された収納キャビネットにあっては、ファイル類を縦置き姿勢で収納するときの当該ファイルの表紙後端部位置を規制するだけのものであり、前述した横置き姿勢での収納適性を付与したものとはなっていない。
【０００７】
［発明の目的］
ここに、本発明の目的は、ファイル等を収納対象物として収納する際に、縦置き姿勢と、横置き姿勢との収納形態を選択できる汎用性を備えた収納キャビネットを提供することにある。
【課題を解決するための手段】
【０００８】
前記目的を達成するため、本発明は、底部材と、この底部材の左右両側に配置された側部材と、これら側部材の上部に配置された天部材とを含む本体ユニットを備えた収納キャビネットにおいて、
前記本体ユニットの内側上部に仕切り部材が配置され、当該仕切り部材は、縦横寸法が相違する特定の収納対象物を縦置き姿勢で収納したときに、当該収納対象物の後部位置決めを行う一方、前記収納対象物を横置き姿勢で収納したときに、当該収納対象物の後部を仕切り部材の下端よりも後方に位置する状態で収納可能とする、という構成を採っている。
【０００９】
また、本発明は、底部材と、この底部材の左右両側に配置された側部材と、これら側部材の上部に配置された天部材とを含む前後開放型の本体ユニットを備えた収納キャビネットにおいて、
前記側部材の前後何れかの上部に仕切り部材が着脱自在に設けられ、当該仕切り部材は、縦横寸法が相違する特定の収納対象物を縦置き姿勢で収納したときに、当該収納対象物の後端部位置決めを行う一方、前記収納対象物を横置き姿勢で収納したときに、当該収納対象物の後部を仕切り部材の下端よりも後方に位置する状態で収納可能とする、という構成を採るとよい。
【００１０】
更に、本発明は、底部材の左右両側に配置された下部側部材と、これら下部側部材の上部に配置された中間天部材と、この中間天部材の左右両側に配置された上部側部材の上部に配置された天部材とを含む本体ユニットを備えた収納キャビネットにおいて、
前記下部側部材及び上部側部材のそれぞれの前後何れかの上部に仕切部材が着脱自在に設けられ、これら仕切り部材は、縦横寸法が相違する特定の収納対象物を縦置き姿勢で収納したときに、当該収納対象物の後端部位置決めを行う一方、前記収納対象物を横置き姿勢で収納したときに、当該収納対象物の後部を仕切り部材の下端よりも後方に位置する状態で収納可能とする、という構成を採ることもできる。
【００１１】
本発明において、前記側部材は内面側に突出する補強部を備え、この補強部は、前後方向に略水平に延びる横方向補強部と、この横方向補強部の方向と交わる方向に延びる縦方向補強部とを含み、当該縦方向補強部は、前記横方向補強部の突出高さよりも低く設定される、という構成を採ることができる。
【００１２】
また、前記側部材の外面側に滑り防止部を略全域に形成することが好ましい。
【００１３】
なお、本明細書において、「縦置き姿勢」とは、長辺と短辺を備えた収納対象物の前記長辺側が鉛直若しくは上下方向に向く一方、短辺側が前後若しくは奥行き方向に向く状態について用いられる。また、「横置き姿勢」とは、前記短辺側が鉛直若しくは上下方向に向く一方、長辺側が前後若しくは奥行き方向に向く状態について用いられる。
【発明の効果】
【００１４】
本発明によれば、ファイル等の収納対象物を収納する際に、縦置き姿勢で収納したときに、その後端部が仕切り部材に接して一定位置に保たれるため、背表紙の面位置を収納キャビネットの前端開放部に近づけた位置で横方向に面一となるように並んだ状態で収納できる。この一方、必要に応じて横置き姿勢で収納したときに、仕切り部材の下端にファイルが干渉することなく当該仕切り部材の下端を潜るような状態でファイルの後部を位置させることができることとなり、収納形態を任意に選択することが可能となる。
【００１５】
また、仕切り部材が本体キャビネットの前部又は後部に着脱自在に設けられているため、背板を有しない前後開放型の本体キャビネットとし、且つ、上下多段型としたときに、各段毎に出し入れ方向を異なる状態で収納キャビネットを利用することが可能となる。
【００１６】
更に、側部材の内面側に設けられた横方向補強部の突出高さに対して縦方向補強部の突出高さが低く設けられていることで、側部材の直近内面側に沿う位置で収納対象物を出し入れする際に、縦方向補強部に収納対象物が引っ掛かってしまうようなことはなく、スムースなる出し入れを実現することができる。
【００１７】
また、側部材の外面側に滑り防止部を設けた構成によれば、側部材に貫通孔や凹部を形成して指掛け部として利用する領域を特別に設ける必要をなくすことができ、側部材がシンプルに形成できるようになる。
【発明を実施するための最良の形態】
【００１８】
以下、本発明に係る収納キャビネットの実施形態について、図面を参照しながら説明する。
【００１９】
［第１実施形態］
図１には、第１実施形態に係る収納キャビネットの概略斜視図が示され、図２及び図３には、前記収納キャビネットを部分的に分解した概略斜視図が示されている。これらの図において、収納キャビネット１０は、底部材１１と、当該底部材１１の左右両側に配置された一対の側部材１２，１２と、これら側部材１２の上部に配置された天部材１３とを備えた本体ユニット１５と、この本体ユニット１５の内側上部に配置された仕切り部材１６（図２参照）と、前記底部材１１の下面側コーナー近傍に取り付けられたキャスター１７とを備えて構成されている。
【００２０】
前記底部材１１は、図２及び図３に示されるように、前後幅（奥行き幅）が左右幅よりも小さい略方形の上平面２０と、この上平面２０の外縁に連なる垂下面２１と、上平面２０の下面側に設けられた補強リブ２２と、上平面２０の上面における左右両側で、前後方向に沿う三箇所に設けられた前部起立連結部２４、中間起立連結部２５及び後部起立連結部２６とを備えた樹脂製の一体成形品により構成されている。前部及び後部の起立連結部２４及び２６は略同一形状に設けられている一方、中間の起立連結部２５は、前後方向における幅が若干長いサイズに形成されている。
【００２１】
前記側部材１２は、樹脂材料による一体成形品により構成されている。この側部材１２は、略方形の側面３０と、この側面３０の外縁に連なる外周端面３１と、側面３０の内面側に突設された補強部３３と、側面３０の内面側において、下部及び上部の前後方向に沿う三箇所に設けられた前部下連結筒３４、中間下連結筒３５、後部下連結筒３６、及び前部上連結筒３７，中間上連結筒３８、後部上連結筒３９とを備えて構成されている。下部側の各連結筒３４〜３６と、上部側の各連結筒３７〜３９は、それぞれ上下対称となる構造に設けられている。従って、以下の説明では、同一部分について必要に応じて同一符号を用いて個々の説明を省略する。
【００２２】
前記側面３０の外面側には、前後方向に沿って延びる凹凸部３０Ａが形成され、当該凹凸部３０Ａによって滑り防止部が形成されている。なお、本実施形態では、凹凸部３０Ａが側面３０の外面略全域に形成されているが、一部の領域に限定することでもよい。
【００２３】
前記補強部３３は、図４ないし図９に示されるように、前後方向に略水平に延びるとともに相互に略平行に設けられた複数の横方向補強部４０と、各横方向補強部４０間で当該横方向補強部４０と略平行に延びる中間補強部４１と、横方向補強部４０及び中間補強部４１の延出方向と交わる方向に延びる縦方向補強部４２とを備えて構成されている。横方向補強部４０の突出高さは、前記外周端面３１の内方端と略一致した高さに設定されている。また、横方向補強部４０の前端部と後端部は、前記外周端面３１に向かうに従って次第に突出高さが低くなる傾斜部４０Ａとして形成されている。なお、中間補強部４１は、横方向補強部４０の突出高さの約１／２以下に設定されている。
【００２４】
前記縦方向補強部４２は、略鉛直方向に延びるとともに相互に略平行に設けられた複数の第１の縦補強部４２Ａと、各第１の縦補強部４２Ａ間で当該第１の縦補強部４２Ａと略平行に設けられた第２の縦補強部４２Ｂと、これら第１及び第２の縦補強部４２Ａ，４２Ｂの面に対して傾斜した方向に延びる傾斜補強部４２Ｃとを含む。第１の縦補強部４２Ａは、図４に示されるように、前記横方向補強部４０よりも突出高さが若干低く設けられている一方、第２の縦補強部４２Ｂと傾斜補強部４２Ｃの各突出高さは、前記中間補強部４１と略同一に設定されている。
【００２５】
前記側部材１２において、前部下連結筒３４、中間下連結筒３５及び後部下連結筒３６は下端側が開放した角筒状に設けられている一方、前部上連結筒３７、中間上連結筒３８及び後部上連結筒３９は、上端側が開放した角筒状に設けられている。図３及び図５に示されるように、前部下連結筒３４，中間下連結筒３５及び後部下連結筒３６には、それらの下端側から底部材１１の前部起立連結部２４、中間起立連結部２５及び後部起立連結部２６がそれぞれ挿入されるようになっている一方、上部側の各連結筒３７〜３９には後述する天部材１３の垂下連結部が上端側から挿入されるようになっている。また、下部側に位置する各連結筒３４，３５，３６内の上端には、下向きに突出する分岐片部５０が各前後二箇所にそれぞれ形成されており、これらの分岐片部５０に各起立連結部２４〜２６の片部分が係り合い可能とされている。更に、前部下連結筒３４と後部下連結筒３６の内面５１部分と、前部上連結筒３７及び後部上連結筒３９の内面５１部分には上下方向に延びる受容部５２がそれぞれ形成されている。これら受容部５２は、後部上連結筒３９部分を拡大した図５から明らかなように、内面５１の板厚を上下方向に沿って次第に薄くする傾斜面５１Ａと、この傾斜面５１Ａに連続する穴５１Ｂを形成することによって構成されている。
【００２６】
前記天部材１３は、平面サイズが底部材１１と略同一に設けられた頂面５５と、この頂面５５の外縁から垂下する垂下周面５６と、頂面５５の下面側に設けられた補強リブ５８（図２参照）と、頂面５５の下面側における左右両側で、前後方向に沿う三箇所に設けられた前部垂下連結部６０、中間垂下連結部６１及び後部垂下連結部６２とを備えた樹脂製の一体成形品により構成されている。これらの各垂下連結部６０〜６２は、前述した底部材１１の各起立連結部２４〜２６と上下方向に略対称形状に設けられ、これにより、天部材１３の各垂下連結部６０〜６２が上部側の前記各連結筒３７〜３９にそれぞれ受容されて連結されるようになっている。
【００２７】
前記仕切り部材１６は、図３及び図７に示されるように、前記側部材１２，１２間に位置する長さを備えた樹脂製の片状部材により構成されている。この仕切り部材１６は、上部側において、長手方向に沿って所定間隔を隔てた位置にスロット部６３を備えている一方、長手方向両端側に爪部６４を備えた形状に設けられている。スロット部６３は、天部材１３の下面側に形成された補強リブ５８の一部が入り込んでこれに係り合い可能とされている。また、爪部６４は、図７に示されるように、側部材１２側の受容部５２に略対応するように外側に隆起させて形成され、この爪部６４の下端側に略Ｌ字状の切欠部６６を形成することにより、爪部６４の下部領域が仕切部材１６の板面と略平行な面内において、外側及び内側に弾性変形でき、これにより、左右の側部材１２，１２における対向する受容部５２、５２に着脱自在となっている。なお、図示例では、仕切り部材１６が、後部上連結筒３９，３９間に位置する場合を示しているが、前部上連結筒３７，３７間に装着することでもよい。
【００２８】
次に、前記収納キャビネット１０の使用方法について、図１０を参照しながら説明する。ここでは、説明の便宜上、収納対象物として、縦横寸法が相違する、例えば、Ａ４用紙を綴じ込むことに適した大きさのファイルＦであるものとし、仕切り部材１６が後部上連結筒３９，３９間に装着されていると仮定して図１０中左端側がファイルＦの出し入れ口となる状態で使用するものとする。
【００２９】
図１０に示されるように、収納キャビネット１０の出し入れ口から縦置き姿勢でファイルＦの背表紙Ｆ１側が手前に表出するように収納すると、当該ファイルＦの上部側の後端部が仕切り部材１６の正面に突き当たるようになる。これにより、多数のファイルＦを収納したときに、それらの背表紙Ｆ１が収納キャビネット１０の前端に近い位置で、面一となる状態で収納されることとなる。この一方、必要に応じて、例えば、図１０中左右両側からファイルＦの出し入れを行えるようにする場合、ファイルＦの背表紙Ｆ１が前後方向（左右方向）に向くように横置き姿勢で収納したときに、背表紙Ｆ１の後部（図１０中右端部）が仕切り部材１６の下端に干渉することなく潜り抜けて収納されることとなり、且つ、本体キャビネット１５の前後収納幅内に収めることができる。
【００３０】
従って、このような第１実施形態によれば、ファイルＦを縦置き姿勢及び横置き姿勢の何れの姿勢でも収納できるようになる。そして、縦置き姿勢としたときに、背表紙等の位置が収納キャビネット１０の前端より相当に後退した位置とならずに出し入れが容易となる。しかも、側部材１２の内面側直近に位置するファイルＦを出し入れするときに、横方向補強部４０が最も高い突出位置を保っていることで、出し入れ方向に沿った滑りを妨げることもない。
【００３１】
［第２実施形態］
次に、本発明の第２実施形態について、図１１ないし図１３を参照しながら説明する。ここで、前記第１実施形態と同一若しくは同等の構成部分については、必要に応じて同一符号を用いるものとし、説明を省略若しくは簡略にする。
【００３２】
第２実施形態は、上下二段型の収納キャビネット１０としたところに特徴を有する。そのため、高さ方向中間位置に、中間天部材７０が用いられている。この中間点部材７０は、下面側の左右両側において、前後方向三箇所に、前部垂下連結部７０、中間垂下連結部７１及び後部垂下連結部７２を設ける一方、上面側の左右両側における前後方向三箇所に前部起立連結部７３、中間起立連結部７４及び後部起立連結部７５を設けた形状とされ、これにより、下部側の側部材１２と上部側の側部材１２とが略同一鉛直面内において相互に連結され、上下二段の収納領域が形成されることとなる。その他の構成は、実質的に、第１実施形態と略同一である。
【００３３】
第２実施形態では、例えば、図１３に示されるように、下段側の仕切部材１６を図中上部右側に装着してファイルＦを左側から出し入れできるようにする一方、上段側の仕切り部材１６を上部左側に装着してファイルＦを右側から出し入れできるようにした状態での利用態様を選択することが可能となる。
【００３４】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３５】
例えば、前記実施形態では、本体ユニット１５が前後開放型である場合を図示、説明したが、後部側に背板を設けることもできる。
【００３６】
また、収納キャビネット１０は、収納領域が一段、二段に限らず、更に多段型にしてもよく、更に、収納対象物はファイルの他、ボックスファイル等、広く適用することが可能である。
【００３７】
また、仕切り部材１６が側部材１６の受容部５２に嵌合して装着される構成に限らず、天部材１３、中間天部材７０に支持されるように構成することも可能である。要するに、本発明は、ファイル等の収納対象物を収納する際に、縦、横何れの姿勢でも収納することができる構成であれば足りる。
【図面の簡単な説明】
【００３８】
【図１】第１実施形態に係る収納キャビネットの概略斜視図。
【図２】前記収納キャビネットの天部材を取り外した状態を示す分解斜視図。
【図３】図１の収納キャビネットを更に分解した斜視図。
【図４】図３のＳ部拡大斜視図。
【図５】側部材を内面側から見た平面図。
【図６】図５のＡ−Ａ線矢視拡大断面図。
【図７】仕切り部材を取り付けた状態を示す部分拡大図。
【図８】図５のＢ−Ｂ線矢視拡大断面図。
【図９】図５のＣ−Ｃ線矢視拡大断面図。
【図１０】収納対象物の収納要領を示す説明図。
【図１１】第２実施形態に係る収納キャビネットの概略斜視図。
【図１２】第２実施形態における中間天部材の概略斜視図。
【図１３】第２実施形態における収納対象物の収納要領を示す説明図。
【符号の説明】
【００３９】
１０  収納キャビネット
１１  底部材
１２  側部材
１３  天部材
１５  本体ユニット
１６  仕切り部材
３０  側面
３０Ａ  凹凸部（滑り防止部）
３３  補強部
４０  横方向補強部
４２  縦方向補強部
７０  中間天部材
Ｆ  ファイル（収納対象物）
【図１】
2006014793.tif 000003
【図２】
2006014793.tif 000004
【図３】
2006014793.tif 000005
【図４】
2006014793.tif 000006
【図５】
2006014793.tif 000007
【図６】
2006014793.tif 000008
【図７】
2006014793.tif 000009
【図８】
2006014793.tif 000010
【図９】
2006014793.tif 000011
【図１０】
2006014793.tif 000012
【図１１】
2006014793.tif 000013
【図１２】
2006014793.tif 000014
【図１３】
2006014793.tif 000015